(57)【要約】【課題】  被記録材の後端が加熱ユニットの被記録材担持面に対し被記録材のコシで跳ね上がったり、静電的な吸着力で引き寄せられ暴れたりすることによる画像不良を低減させる。【解決手段】  被記録材Ｓを加熱ユニット22と静電吸着させるために加熱ユニット22を帯電させる帯電器23を設ける。この帯電器23によって帯電させられた加熱ユニット22と被記録材Ｓが静電吸着領域Ｌで吸着する。そして、被記録材Ｓの搬送方向を長手方向とするリブ形状で、先端がテーパ状に細くなっているガイド部材24を静電吸着領域Ｌの定着入力側で被記録材Ｓの被画像形成部分と加熱ユニット22とで挟まれる領域に設ける。【選択図】図２
2009300807.tif 000002
【特許請求の範囲】
【請求項１】
未定着トナー画像が形成された被記録材のトナー画像面を加熱するための加熱ユニットと、
前記加熱ユニットの加熱領域に前記被記録材を静電的に吸着させるために前記加熱ユニットを帯電させる帯電手段と、
前記加熱ユニットとの間でニップ部を形成し、前記ニップ部において前記被記録材を加圧する加圧ユニットと、
前記帯電手段によって帯電させられた前記加熱ユニットと前記被記録材とが静電的に吸着する静電吸着領域よりも被記録材の搬送方向の上流側、かつ、定着入力側で前記被記録材の非画像形成領域と前記加熱ユニットとで挟まれる領域に設けられ、前記被記録材の搬送をガイドするガイド部材と、
を具備することを特徴とする加熱定着装置。
【請求項２】
前記ガイド部材は前記被記録材の搬送方向を長手方向とするリブ形状であり、前記静電吸着領域の前記定着入力側の吸着境界位置に向かってテーパ状に細くなっている先端部を有し、前記先端部により前記被記録材をガイドすることを特徴とする請求項１記載の加熱定着装置。
【請求項３】
前記ガイド部材は前記被記録材の搬送方向に回転可能なローラを有し、前記ローラにより前記被記録材をガイドすることを特徴とする請求項１記載の加熱定着装置。
【請求項４】
前記ガイド部材は被記録材の搬送方向幅に応じて、前記ガイド部材の位置を該被記録材の搬送方向と直交する方向へ移動可能であることを特徴とする請求項１乃至３のいずれか１項に記載の加熱定着装置。
【請求項５】
前記ガイド部材は、前記被記録材の搬送方向の前後へ移動可能であることを特徴とする請求項１乃至４のいずれか１項に記載の加熱定着装置。
【請求項６】
前記ガイド部材は、前記被記録材の厚さに応じ、前記被記録材が所定の厚さよりも薄いときは前記搬送方向の前方に移動し、前記被記録材が厚いときは前記搬送方向の後方に移動することを特徴とする請求項５記載の加熱定着装置。
【請求項７】
前記加熱ユニットは、前記被記録材の搬送方向に移動するエンドレスベルトを有し、このエンドレスベルトを介して前記被記録材を加熱することを特徴とする請求項１乃至６のいずれか１項に記載の加熱定着装置。
【発明の詳細な説明】
【技術分野】
【０００１】
本発明は、加圧ローラによりニップ部を形成し被記録材を挟持搬送させ、トナー画像を加熱定着させるための加熱定着装置を具備した複写機、プリンタ等の画像形成装置に関するものである。
【背景技術】
【０００２】
例えば、電子写真プロセス・静電記録プロセス等の画像形成装置において、転写方式あるいは直接方式で被記録材（転写紙、印字シート、感光紙、静電記録シートなど）に形成担持させた未定着のトナー画像を加熱定着させる加熱定着装置がある。このような装置には、熱ローラ方式、フィルム加熱方式、電磁誘導加熱方式など各種の方式が用いられる。
【０００３】
被記録材上に形成担持されたトナー画像を加熱するための加熱ユニットを有し、被記録材を静電的に加熱ユニットの被記録材担持面に吸着させる加熱定着部を具備した画像形成装置として、特許文献１などがある。この文献には、被記録材の画像面を加熱源でもある定着ベルトに静電的に吸着させ、加圧ローラからなる定着ニップをとおし加熱定着することで、加熱効率の良い加熱定着装置が開示されている。
【０００４】
図11はこの従来の加熱定着装置の構成を示す図である。エンドレスベルト100が支持ローラ101ａ，101ｂに懸回されて矢印方向に回転可能に設けられている。このエンドレスベルト100は帯電器102によって帯電され、トナー像Ｔが転写された被記録材Ｓを吸着して搬送する。支持ローラ101ａ内にはヒータ103が配置され、搬送される被記録材Ｓをベルト100を介して加熱し、加圧ローラ104によって加圧することでトナー像を被記録材Ｓに定着させる。
【０００５】
【特許文献１】特開２００４−２２６４２７
【発明の開示】
【発明が解決しようとする課題】
【０００６】
上述したように、従来の加熱定着装置では、被記録材Ｓがベルト100に吸着されていくと、被記録材Ｓの後端がベルト100に吸着される間際に、吸着面に倣うように跳ねて未定着トナーの載った画像面がベルトと衝突、もしくは振動して像ズレをおこすおそれがあった。
【０００７】
本発明は、上記従来技術における課題を解決し、被記録材の後端の暴れを押ええて、安定した静電吸着領域を維持することで、静電吸着を用いた加熱定着装置での像ズレを低減し、良好な画像が得られる加熱定着装置を提供することを目的とする。
【課題を解決するための手段】
【０００８】
上記課題を解決するための本発明における代表的な手段は、未定着トナー画像が形成された被記録材のトナー画像面を加熱するための加熱ユニットと、前記加熱ユニットの加熱領域に前記被記録材を静電的に吸着させるために前記加熱ユニットを帯電させる帯電手段と、前記加熱ユニットとの間でニップ部を形成し、前記ニップ部において前記被記録材を加圧する加圧ユニットと、前記帯電手段によって帯電させられた前記加熱ユニットと前記被記録材とが静電的に吸着する静電吸着領域よりも被記録材の搬送方向の上流側、かつ、定着入力側で前記被記録材の非画像形成領域と前記加熱ユニットとで挟まれる領域に設けられ、前記被記録材の搬送をガイドするガイド部材と、を具備することを特徴とする。
【発明の効果】
【０００９】
被記録材と加熱ユニットの静電的な吸着境界にガイド部材を設けることで、被記録材の後端が加熱ユニットの被記録材担持面に吸着する瞬間、被記録材のコシで跳ね上がったり、静電的な吸着力で引き寄せられ暴れたりすることを規制できる。このため、安定した静電吸着領域を維持することで画像後端の像ズレを低減し、良好な画像が得ることが可能である。
【発明を実施するための最良の形態】
【００１０】
〔第１実施形態〕
図１は本発明に係る画像形成装置の一実施形態である、転写方式電子写真プロセスを用いたタンデム型のカラーレーザプリンタの断面構成図である。
【００１１】
［画像形成装置の全体構成］
図１において、１（１ａ〜１ｄ）は図示矢印方向（反時計方向）に所定のプロセススピードで回転する潜像担持体としてのドラム型の電子写真感光体（以下、感光ドラムと称する）である。感光ドラム１ａ，１ｂ，１ｃ，１ｄは順にカラー画像のイエロー(Ｙ)成分、マゼンタ(Ｍ)成分、シアン(Ｃ)成分、ブラック（Ｂｋ）成分のそれぞれを分担する（図１に示した符号ａ，ｂ，ｃ，ｄはそれぞれ、イエロー、マゼンタ、シアン、ブラックの各画像形成部に対応した部材を示す）。
【００１２】
感光ドラム１ａ〜１ｄは、不図示のドラムモータ（直流サーボモータ）によって回転駆動されるが、各感光ドラム１ａ〜１ｄにそれぞれ独立した駆動源を設けても良い。尚、ドラムモータの回転駆動は不図示のＤＳＰ（デジタルシグナルプロセッサ）によって制御され、その他の制御は不図示のＣＰＵによって行われる。
【００１３】
静電吸着搬送ベルト９ａは、駆動ローラ９ｂと従動ローラ９ｃに張架されており、駆動ローラ９ｂによって図示矢印方向に回転駆動され、被記録材Ｓを吸着して搬送する。
【００１４】
以下、４色のうち、イエロー(Ｙ)を例として説明する。
【００１５】
感光ドラム１ａはその回転過程で１次帯電手段２ａにより所定の極性及び電位に一様に１次帯電処理される。そして、感光ドラム１ａに対してレーザビーム露光手段３ａにより光像露光がなされ、感光ドラム１ａ上に画像情報の静電潜像が形成される。
【００１６】
次に、現像部４ａによってトナー像が感光ドラム１ａ上に形成され、静電潜像が可視化される。同様な工程が他の３色（マゼンタ(Ｍ)、シアン(Ｃ)及びブラック（Ｂｋ））についてもそれぞれ実施される。
【００１７】
４色のトナー像の形成は、所定のタイミングで給送ローラ５ａにより搬送されてきた被記録材Ｓを停止、再搬送するレジストローラ５ｂにより同期される。そして、レジセンサ７で被記録材の先端を検知した後、感光ドラム１ａ〜１ｄと静電吸着搬送ベルト９ａとのニップ部において被記録材Ｓにトナー像が順次転写される。これと同時に被記録材Ｓへのトナー像転写後の感光ドラム１ａ〜１ｄはクリーニング手段６ａ、６ｂ、６ｃ、６ｄによって転写残トナー等の残存付着物が除去され、繰り返し作像に供される。
【００１８】
４つの感光ドラム１ａ〜１ｄからトナー像が転写された被記録材Ｓは、駆動ローラ９ｂ部において静電吸着搬送ベルト９ａ面から分離されて入口ガイド11に沿って入口センサ12を動作させる。その後、加熱定着装置10に送り込まれ、加圧ローラ21と加熱ユニット22で挟持搬送されながらトナー像が被記録材Ｓに定着される。その後、排出上ガイド13に沿って排出センサ14を作動させて駆動排出ローラ15と従動排出ローラ16によって挟持搬送され排出トレイ17に排出される。
【００１９】
［加熱定着装置］
図２は加熱定着装置10の加熱定着部分を説明する図である。加熱定着装置10は、弾性層を有し回転する加圧ローラ21を有している。また、加熱定着装置10は、加圧ローラ21に圧接し表層が絶縁もしくは高抵抗である被記録材担持面を持った加熱ユニット22を有している。加熱ユニット22の被記録材担持面の一部が加熱領域として被記録材Ｓの加熱に用いられる。さらに、加熱定着装置10は、その表面を帯電させ被記録材Ｓを静電吸着させるための帯電器23を有している。そして、加熱定着装置10は、加熱ユニット22の被記録材担持面と被記録材Ｓの静電吸着境界位置の近傍に配されたガイド部材24を有する。すなわち、ガイド部材24は、帯電させられた加熱ユニット22と被記録材とが静電的に吸着する静電吸着領域よりも被記録材の搬送方向上流側、かつ、静電吸着領域Ｌの定着入力側で被記録材Ｓの非画像形成領域と加熱ユニットで挟まれる領域に設けられる。
【００２０】
この実施形態では、加熱ユニットとして熱ローラ方式を用いたが、加熱手段はこれに限るものではない。例えば、表面が帯電可能なゴム層、もしくはフィルム層などで構成していれば、板状発熱体と加熱フィルムから構成されるフィルム定着方式、誘導過熱を用いるＩＨ定着方式、ローラ表面を外部加熱源で加熱する外部加熱方式とすることもできる。
【００２１】
加圧ローラ21は、アルミあるいは鉄製の芯金29と、その外側に弾性層28ａ、弾性層28ａの表面を被覆する離型性層28ｂから構成される。
【００２２】
弾性層28ａはシリコンゴム等で形成されたソリッドゴム層などが用いられる。断熱効果を持たせるためシリコンゴムを発泡させ形成されたスポンジゴム層、あるいはシリコンゴム層内に中空のフィラーを分散させ、硬化物内に気泡部分を持たせ、断熱作用を高めた気泡ゴム層を用いることもできる。
【００２３】
離型性層28ｂは、パーフルオロアルコキシ樹脂(ＰＦＡ)、ポリテトラフルオロエチレン樹脂(ＰＴＦＥ)、テトラフルオロエチレン−ヘキサフルオロプロピレン樹脂(ＦＥＰ)等のフッ素系樹脂、又はＧＬＳラテックスコーティングを施したものでもよい。また離型性層28ｂはチューブを被覆させたものでも、表面を塗料でコートしたものであってもよい。
【００２４】
加熱ユニット22は、加熱源のハロゲンヒータ25、アルミあるいは鉄製の円環26、その外側に弾性層27ａ、弾性層27ａの表面を被覆する離型性層27ｂから形成され、不図示の加圧手段により加圧ローラ21に当接している。
【００２５】
弾性層27ａは加圧ローラ同様にソリッドもしくは発泡させたシリコンゴム等で形成される。離型性層27ｂも同様に、パーフルオロアルコキシ樹脂(ＰＦＡ)、ポリテトラフルオロエチレン樹脂(ＰＴＦＥ)、テトラフルオロエチレン−ヘキサフルオロプロピレン樹脂(ＦＥＰ)等のフッ素系樹脂、又はＧＬＳラテックスコーティングを施したものでもよい。また離型性層27ｂはチューブを被覆させたものでも、表面を塗料でコートしたものであってもよい。
【００２６】
帯電器23は、導電ブラシを加熱ユニット22の表面に当接し電圧を印加させるものもしくは、非接触でコロナ放電などによる放電電荷を付与するものである。
【００２７】
ガイド部材24は、液晶プラスチック(ＬＣＰ)やポリフェニレンスルファイド(ＰＰＳ)、ポリブチレンテレフタレート(ＰＢＴ)といった耐熱性があり絶縁もしくは高抵抗な樹脂などで構成される。
【００２８】
［被記録材のガイド構成］
次に本実施形態の特徴部分の動作について説明する。
【００２９】
未定着トナー画像が形成された被記録材Ｓは、帯電器（帯電手段）23で帯電した加熱ユニット22の表面に静電的に吸着し、トナーを溶融しながら加圧ローラ（加圧ユニット）21により形成される加圧ニップ部に突入する。そして、この加圧ニップ部で挟持搬送されながら定着画像として排出ローラ対に向かい送り出される。
【００３０】
このとき、被記録材Ｓの加熱ユニット22への吸着をくさび形で被記録材の搬送方向と並行するリブ形状のガイド部材24により制限することで、ガイド部材24と加圧ニップ部間に静電吸着領域Ｌを形成する。図３は加熱定着装置10を入口側から図示するもので、ガイド部材24は被記録材Ｓのトナー画像Ｄを形成する面（トナー画像面）の非画像領域を支持し、被記録材Ｓが加熱ユニット22に静電的に吸着するのを規制している。ガイド部材24は図２に示すように加熱ユニット22から離間した位置に配置されるか、図４に示すように加熱ユニット22に当接し、加熱ユニット表面と摺動するように配置される。このように配置することで、被記録材Ｓの後端はガイド部材24の面にそって加熱ユニット表面に吸着されていく。
【００３１】
上述したように、被記録材の非画像形成領域と加熱ユニットの静電的な吸着境界近傍に被記録材の搬送方向を長手方向とするリブ形状で、かつ、テーパ状の先端部を有するガイド部材24を介在させるよう構成している。このため、被記録材の後端が加熱ユニットの被記録材担持面に対し被記録材のコシで跳ね上がったり、静電的な吸着力で引き寄せられ暴れたりすることを規制できる。
【００３２】
また被記録材が静電吸着力の影響でガイド部材であるリブに貼りつくことを低減し被記録材の後端部が滑らかに加熱ユニットの被記録材担持面に吸着搬送され、安定した静電吸着領域を維持することができる。これらのことより静電吸着を用いた加熱定着装置において特に画像後端の像ズレを低減し、良好な画像が得ることが可能である。
【００３３】
〔第２実施形態〕
次に、本発明の第２の実施形態であるカラーレーザプリンタについて説明する。本実施形態では、全体の構成は、図１に示す構成と同様であるので重複する説明は省略する。
【００３４】
図５は、この実施形態のレーザプリンタに用いられる加熱定着装置の構成を示す図である。図２と同様の部分には同一の符号を付し、重複する説明は省略する。
【００３５】
本実施形態では、第１の実施形態における、図２に示されたガイド部材24が、被記録材Ｓの矢印で示す搬送方向に回転可能なコロ40で構成されている。コロ40は図３で説明したガイド部材24と同様に、被記録材Ｓのトナー画像Ｄを形成する面の非画像領域を支持し、被記録材Ｓが加熱ユニット22に静電的に吸着するのを規制している。コロ40は加熱ユニット22の表面からは離間しており、被記録材Ｓの非画像領域を支持し搬送することを妨げることはない。
【００３６】
上述したように、ガイド部材をコロで構成することで、被記録材が静電吸着力の影響でガイド部材であるコロに貼りついても、コロ自ら回転し被記録材を搬送し、被記録材の搬送抵抗を軽減し後端部が滑らかに加熱ユニットの被記録材担持面に吸着する。このため、被記録材の後端部の暴れをおさえることができ、画像後端の像ズレを低減し、良好な画像が得ることが可能となる。
【００３７】
〔第３実施形態〕
次に、本発明の第３の実施形態であるカラーレーザプリンタについて説明する。本実施形態では、全体の構成は、図１に示す構成と同様であるので重複する説明は省略する。
【００３８】
図６は、この実施形態のレーザプリンタに用いられる加熱定着装置の構成を示す図である。図３と同様の部分には同一の符号を付し、重複する説明は省略する。
【００３９】
本実施形態では、第１の実施形態の図２に示されたガイド部材24を、被記録材Ｓのサイズが変わることで、その位置を変えるようにしている。すなわち、トナー画像Ｄを形成する面の非画像領域の位置が変わるのに応じて、被記録材Ｓの搬送方向幅と直交する方向へガイド部材24の位置を24ａから24ｃに移動可能な構成にしている。なお、この移動は、ガイド部材24を保持する非図示のステーと、非図示のリンク機構を経て手動もしくは画像形成装置の駆動手段により実行される。
【００４０】
上述したように、ガイド部材が被記録材の搬送方向幅に合わせ可動できることにより、被記録材のサイズが変わっても、それにあわせ被記録材の後端部の暴れをおさえることができ、画像後端の像ズレを低減し、良好な画像が得ることが可能となる。
【００４１】
〔第４実施形態〕
次に、本発明の第４の実施形態であるカラーレーザプリンタについて説明する。本実施形態では、全体の構成は、図１に示す構成と同様であるので重複する説明は省略する。
【００４２】
図７は、この実施形態のレーザプリンタに用いられる加熱定着装置の構成を示す図である。図２と同様の部分には同一の符号を付し、重複する説明は省略する。
【００４３】
本実施形態では、ガイド部材24が24ｆの位置にあるときの静電吸着領域はＬｆで示している。ガイド部材24はガイド部材24を保持する非図示のステーと、非図示のリンク機構を経て手動もしくは画像形成装置の駆動手段を用い、被記録材Ｓの搬送方向24ｅの位置に移動することで、静電吸着領域をＬｆからＬｅに変化させることができる。
【００４４】
上述したように、ガイド部材が被記録材の搬送方向の前後に移動可能であることで、静電吸着を用いた加熱定着装置において、被記録材の後端部の暴れをおさえつつ任意の長さの静電吸着領域を得ることができる。それにより、被記録材の厚みや材質等が変わっても、加熱ユニットの発熱量をある程度一定のまま同じ定着性を得ることが可能となる。
【００４５】
なお、搬送される被記録材の厚さを検出する被記録材厚さ検出手段を設けて、この被記録材厚さ検出手段によって検出された厚さに応じてガイド部材24を搬送方向の前後に移動させるようにしてもよい。この場合には、被記録材の厚さが基準となる所定の厚さよりも厚い場合には、前記搬送方向の後方（上流側）に移動させ、薄い場合には、前記搬送方向の前方（下流側）に移動させる。このようにすることで、被記録材が厚い場合は、静電吸着領域を大きくして、被記録材Ｓに多くの熱を与え、薄い場合には、静電吸着領域を小さくして、被記録材Ｓに少ない熱を与えるようにできる。このようにすることで、被記録材の厚みが異なっても一定の定着性が得られる。
【００４６】
〔第５実施形態〕
次に、本発明の第５の実施形態であるカラーレーザプリンタについて説明する。本実施形態では、全体の構成は、図１に示す構成と同様であるので重複する説明は省略する。
【００４７】
図８は、この実施形態のレーザプリンタに用いられる加熱定着装置の構成を示す図である。図２と同様の部分には同一の符号を付し、重複する説明は省略する。
【００４８】
図８に示すように、本実施形態の加熱定着装置10は、加熱ユニット31と駆動ローラユニット30、それに懸架された表層が絶縁もしくは高抵抗である被記録材担持面を持ったエンドレスベルト32を有している。そして加熱定着装置10は、弾性層を有し、駆動ローラユニット30とエンドレスベルト32を介し当接し回転する加圧ローラ21を有する。また、加熱定着装置10は、エンドレスベルト32の表面を帯電させ被記録材Ｓを静電吸着させるための帯電器23を有してしる。さらに、加熱定着装置10は、エンドレスベルト32の被記録材担持面と被記録材Ｓの吸着境界に配されたガイド部材24を有する。またさらに、被記録材Ｓをエンドレスベルト32の静電吸着領域Ｌｃへ導く入口ガイド11を有している。
【００４９】
本実施形態では、加熱ユニット31として熱ローラ方式を示すが他の加熱方式を用いてもよい。例えば、板状発熱体を用いエンドレスベルト32内面より加熱するフィルム定着方式、エンドレスベルトの基層に導電性の金属を配し誘導過熱を用いるＩＨ定着方式、エンドレスベルト32表面を外部加熱源で加熱する外部加熱方式でもよい。また加熱手段を駆動ローラユニット30に具備させ加熱ユニット31と熱源を併設するか、または駆動ローラユニット30のみを加熱源とする構成も可能である。
【００５０】
駆動ローラユニット30は、アルミあるいは鉄製の円環もしくは中実の軸でできており、その端部には非図示の定着駆動ローラギアが取付けられ駆動ローラユニット30を回転駆動する。図８においては、駆動ローラユニット30内部にハロゲンヒータ25を配し加熱ユニット31と熱源を併設した構成を示している。駆動ローラユニット30は不図示の加圧手段により加圧ローラ21に、エンドレスベルト32を介し当接している。
【００５１】
加熱ユニット31は、加熱源のハロゲンヒータ25、アルミあるいは鉄製の円環26で構成され、駆動ローラユニット30にエンドレスベルト32で懸架され従動回転する。
【００５２】
図９に示すようにエンドレスベルト32は、基層33に金属を用いた熱伝導層、その外周面の弾性層34はシリコンゴム等で形成されたソリッドゴム層などが用いられる。弾性層34は、断熱効果を持たせるためシリコンゴムを発泡させ形成されたスポンジゴム層、あるいはシリコンゴム層内に中空のフィラーを分散させ、硬化物内に気泡部分を持たせ、断熱作用を高めた気泡ゴム層などを用いてもよい。離型性層35は、パーフルオロアルコキシ樹脂(ＰＦＡ)、ポリテトラフルオロエチレン樹脂(ＰＴＦＥ)、テトラフルオロエチレン−ヘキサフルオロプロピレン樹脂(ＦＥＰ)等のフッ素系樹脂、あるいはＧＬＳラテックスコーティングを施したものであってもよい。また離型性層35はチューブを被覆させたものでも、表面を塗料でコートしたものであってもよい。基層33が金属の場合その内周面に摺動層36としてポリイミド(ＰＩ)を配する場合もある。エンドレスベルト外周面には、帯電器23により電圧を印加される。
【００５３】
被記録材Ｓのエンドレスベルト32への吸着をガイド部材24により制限することで、ガイド部材24と加圧ニップ部間に静電吸着領域Ｌｃを形成する。被記録材Ｓのトナー画像Ｄを形成する面の非画像領域を支持し、被記録材Ｓがエンドレスベルト32に静電的に吸着する領域を規制している。
【００５４】
図10は、図８で示す実施形態の変形例で、駆動ローラユニット30と加熱ユニット31に懸架されたエンドレスベルト32の平面部に、ガイド部材24と入口ガイド11ｂを配し静電吸着領域Ｌｄを構成している。
【００５５】
上述したように、加熱ユニットとエンドレスベルトを用いた定着ベルトを構成することで、静電吸着領域をベルト長に応じ長くとれ、それにより被記録材上の未定着トナーの加熱区間が長くなり、被記録材の搬送速度が上がっても十分加熱することが可能である。また被記録材の加圧ニップ部への進入方向がベルトの懸架方向に自由に設定できることで、静電吸着を用いた加熱定着装置における画像の向上と加熱定着装置の本体装置内における姿勢や配置構成の柔軟性が図れる。
【図面の簡単な説明】
【００５６】
【図１】本発明の第１実施形態に係るカラーレーザプリンタの構成を示す図である。
【図２】本発明の第１実施形態に係る定着部の構成を示す図である。
【図３】本発明の第１実施形態に係るガイド部材の位置を示す図である。
【図４】本発明の第１実施形態に係るガイド部材の位置を示す図である。
【図５】本発明の第２実施形態に係る定着部の構成を示す図である。
【図６】本発明の第３実施形態に係るガイド部材の移動を示す図である。
【図７】本発明の第４実施形態に係るガイド部材の移動を示す図である。
【図８】本発明の第５実施形態に係る定着部の構成を示す図である。
【図９】本発明の第５実施形態に係るエンドレスベルトの構成を示す図である。
【図１０】本発明の第５実施形態に係る定着部の変形例の構成を示す図である。
【図１１】従来の画像形成装置の構成を示す図である。
【符号の説明】
【００５７】
21  …加圧ローラ
22  …加熱ユニット
23  …帯電器
24、24ａ、24ｂ、24ｃ …ガイド部材
30  …駆動ローラユニット
31  …加熱ユニット
32  …エンドレスベルト
Ｄ  …トナー画像
Ｌ、Ｌｅ、Ｌｆ、Ｌｃ、Ｌｄ …静電吸着領域
Ｓ  …被記録材
【図１】
2009300807.tif 000003
【図２】
2009300807.tif 000004
【図３】
2009300807.tif 000005
【図４】
2009300807.tif 000006
【図５】
2009300807.tif 000007
【図６】
2009300807.tif 000008
【図７】
2009300807.tif 000009
【図８】
2009300807.tif 000010
【図９】
2009300807.tif 000011
【図１０】
2009300807.tif 000012
【図１１】
2009300807.tif 000013